(57)【要約】【課題】  照明器具としての高輝度さが求められることによるぎらぎらや照度不足を防ぎながら、特定の照明の色による演色性を高めた照明装置を提供する。【解決手段】  複数の単色系発光ダイオードと、その単色系発光ダイオードより少ない複数の白色発光ダイオードを一定の照明領域に対して昭光できるように配列した。その単色系発光ダイオードは青色、または赤色、オレンジ色あるいは緑色とした。単色系発光ダイオードは白色発光ダイオードの列の両側に配列する。ＬＥＤ照明装置１００は、ＬＥＤ基板１０と、単色系発光ダイオードと白色発光ダイオードとからなるＬＥＤ素子３０と、透光ケース５０と、外部電力を透光ケース内部に導入するための電極部２０と、電極部２０から導入された電流電圧を変換して発光ダイオードへ供給する内部電源４０を備える。【選択図】図１
2012009434.tif 000002
【特許請求の範囲】
【請求項１】
基板と、
外部電力を前記基板内に導入する電極部と、
前記基板の照明方向側に実装された複数のＬＥＤ素子と、
前記電極部から導入された電流電圧を変換して前記ＬＥＤ素子へ供給する内部電源とを備えたＬＥＤ照明装置であって、
前記複数のＬＥＤ素子を、一方向に配列された特定色の複数の単色系発光ダイオード列と、この単色系発光ダイオード列の呈する色を損なわないように前記単色系発光ダイオード列に挟まれるように配置された白色発光ダイオード列とから構成して前記特定色で一定の照明領域に対して照光できるように配列したことを特徴とするＬＥＤ照明装置。
【請求項２】
単色系発光ダイオード列は、青色の単色光を発光することを特徴とする請求項１記載のＬＥＤ照明装置。
【請求項３】
単色系発光ダイオード列は、赤色、オレンジ色又は緑色の単色光を発光することを特徴とする請求項１記載のＬＥＤ照明装置。
【請求項４】
単色系発光ダイオード列を、前記白色発光ダイオード列の両側に配列したことを特徴とする請求項１から３のいずれかに記載のＬＥＤ照明装置。
【請求項５】
複数のＬＥＤ素子は、ＶＦがほぼ同一であり３列または４列で配列されていることを特徴とする請求項１から４のいずれかに記載のＬＥＤ照明装置。
【請求項６】
複数のＬＥＤ素子の発光を外部に拡散させる透光ケースを備えていることを特徴とする請求項１から５のいずれかに記載のＬＥＤ照明装置。
【請求項７】
既存の蛍光灯照明管のソケットにそのまま装着可能な蛍光灯型ＬＥＤ照明管であって、
基板と、外部電力を前記基板内に導入し既存の蛍光灯照明管のソケットにそのまま装着可能なＪＩＳ規格の口金と、前記基板の照明方向側に実装された複数のＬＥＤ素子と、前記口金から導入された電流電圧を変換して前記ＬＥＤ素子へ供給する内部電源と、前記複数のＬＥＤ素子の発光を外部に拡散させる透光筒体とを備え、
前記複数のＬＥＤ素子を、蛍光灯型ＬＥＤ照明管の長尺方向に配列された特定色の複数の単色系発光ダイオード列と、この単色系発光ダイオード列の呈する色を損なわないように前記単色系発光ダイオード列に挟まれるように配置された白色発光ダイオード列とから構成して前記特定色で一定の照明領域に対して照光できるように配列したことを特徴とする蛍光灯型ＬＥＤ照明管。
【請求項８】
請求項７に記載の蛍光灯型ＬＥＤ照明管を備えていることを特徴するＬＥＤ照明装置。
【発明の詳細な説明】
【技術分野】
【０００１】  本発明は、比較的広範囲を照明するに好適な発光ダイオード（ＬＥＤ）を用いた照明装置に関する。
【背景技術】
【０００２】  近年、省エネルギーな照明として、発光ダイオードの高輝度化、長寿命化を背景に、蛍光灯の代わりに発光ダイオードを使うことがなされるようになっており、特に形状も蛍光灯の代替に形成することがなされており、これは特開２００７−１１５５９５号公報（特許文献１参照）など、枚挙に暇がない。
一方、発光ダイオードは本来単色光系であり、これをベースに短波長の光を蛍光塗料などを利用して白色にしたり，３原色発光ダイオードを用いて白色にすることがなされている。しかし、白色というのは物を照らす照明としては一般的であるが、一定の雰囲気をかもし出すには色度上の白色ではなく色調がずれている方がいいことが多い。そこで特開２００６−５９７６０号公報（特許文献２）では、３原色の発光ダイオードを用い、その色強度を微妙に調整して照明光の用途を拡大させることが提案されている。
【先行技術文献】
【特許文献】
【０００３】
【特許文献１】特開２００７−１１５５９５号公報
【特許文献２】特開２００６−５９７６０号公報
【発明の概要】
【発明が解決しようとする課題】
【０００４】  然しながら、蛍光灯の代替というと、蛍光灯が白色と昼光色の２種類が体制を占めており、また発光ダイオード自体は点光源なので複数を一体に組み込むことがなされるから、同一の発光ダイオード（ランプ）を用いる方が組み立てやすいこともあり、蛍光灯の代替としては白色ばかりを追い求めることになりかねない。この場合、照明器具としての高輝度さが求められることとなり、ぎらぎらしたり、求められる明るさに対して必要以上の発光ダイオードを組み込んだり電流を流したりして放熱や消費電力上無理が重なりやすい。  他方、３原色の発光ダイオードを用いて色バランスを調整しようとすると、それによって色度上の白からずれる光を用いることになるから、照度不足になることは否めない。【０００５】  また、駆動回路構造や採用する発光ダイオードのコスト改善面や搭載基板の小サイズ化、回路設計面での大幅に合理化や簡素化を図れず、発光ダイオード照明の生産面において製造、販売、市場普及拡大の足かせとなる。わが国では、単に照度上の数値以外に照明としての品位や設置場所における他とのバランスや、従来のガラスタイプの照明との比較を重要視されているケースが多い。
【課題を解決する手段】
【０００６】  本発明はこのような点を考慮してなされたもので、特定の雰囲気をかもし出す複数の単色系発光ダイオードに、その単色系発光ダイオードより少ない複数の白色発行ダイオードを照度確保のために加え一定の照明領域に対して照光できるように配列したもので、好ましくはその単色系発光ダイオードは青色、または赤色、オレンジ色あるいは緑色としたものであって、より好ましくは白色発光ダイオードは列を成して配列され、単色系発光ダイオードは白色発光ダイオードの列の両側に配列したものである。
【０００７】  （１）本発明のＬＥＤ照明装置は、基板と、外部電力を前記基板内に導入する電極部と、前記基板の照明方向側に実装された複数のＬＥＤ素子と、前記電極部から導入された電流電圧を変換して前記ＬＥＤ素子へ供給する内部電源とを備えたＬＥＤ照明装置であって、前記複数のＬＥＤ素子を、一方向に配列された特定色の複数の単色系発光ダイオード列と、この単色系発光ダイオード列の呈する色を損なわないように前記単色系発光ダイオード列に挟まれるように配置された白色発光ダイオード列とから構成して前記特定色で一定の照明領域に対して照光できるように配列したことを特徴とするものである。
（２）本発明のＬＥＤ照明装置は、上記（１）の発明のＬＥＤ照明装置において、単色系発光ダイオード列は、青色の単色光を発光することを特徴とするものである。
（３）本発明のＬＥＤ照明装置は、上記（１）に記載のＬＥＤ照明装置において、単色系発光ダイオード列は、赤色、オレンジ色又は緑色の単色光を発光することを特徴とするものである。
（４）本発明のＬＥＤ照明装置は、上記（１）から（３）のいずれかに記載のＬＥＤ照明装置において、単色系発光ダイオード列を、前記白色発光ダイオード列の両側に直線状に又は千鳥状に配列したことを特徴とするものである。
（５）本発明のＬＥＤ照明装置は、上記（１）から（４）のいずれかに記載のＬＥＤ照明装置において、複数のＬＥＤ素子は、ＶＦがほぼ同一であり３列または４列で配列されていることを特徴とするものである。
（６）本発明のＬＥＤ照明装置は、上記（１）から（５）のいずれかに記載のＬＥＤ照明装置において、複数のＬＥＤ素子の発光を外部に拡散させる透光ケースを備えていることを特徴とするものである。
（７）本発明の蛍光灯型ＬＥＤ照明管は、既存の蛍光灯照明管のソケットにそのまま装着可能な蛍光灯型ＬＥＤ照明管であって、
基板と、外部電力を前記基板内に導入し既存の蛍光灯照明管のソケットにそのまま装着可能なＪＩＳ規格の口金と、前記基板の照明方向側に実装された複数のＬＥＤ素子と、前記口金から導入された電流電圧を変換して前記ＬＥＤ素子へ供給する内部電源と、前記複数のＬＥＤ素子の発光を外部に拡散させる透光筒体とを備え、
前記複数のＬＥＤ素子を、蛍光灯型ＬＥＤ照明管の長尺方向に直線状に又は千鳥状に配列された特定色の複数の単色系発光ダイオード列と、この単色系発光ダイオード列の呈する色を損なわないように前記単色系発光ダイオード列に挟まれるように配置された白色発光ダイオード列とから構成して前記特定色で一定の照明領域に対して照光できるように配列したことを特徴とするものである。
（８）本発明のＬＥＤ照明装置は、上記（７）の蛍光灯型ＬＥＤ照明管を備えていることを特徴とするものである。
【発明の効果】
【０００８】  本発明にあっては、このような特定の雰囲気をかもし出す複数の単色系発光ダイオードに、その単色系発光ダイオードより少ない複数の白色発光ダイオードを照度確保のために加え、一定の照明領域に対して照光できるように配列したので、実際の照度よりも明るく感じる上に、単色がかもし出す暖色・寒色、遠近感などの雰囲気や効果がやわらかく感じられる。さらに単色系発光ダイオードとして青色を用いると、自然な感じがすると共に心理的に作用し防犯効果が得られる。一方で単色系発光ダイオードに赤色を用いると自然な感じがすると共に植物育成に作用し効果が得られ、オレンジ色を用いると自然な感じがすると共にトンネル内などで視認性向上に効果が得られ、緑を用いると自然な感じがすると共にシイタケ栽培などの育成に効果が得られる。
【０００９】  また、単色系発光ダイオードは列をなして配列され、単色系発光ダイオードの間に白色発光ダイオードを配列することで、光が混ざり明るく、単色光の例えば青色の光を広範囲に照明することが出来る。
【００１０】  そして、単色系発光ダイオードと白色発光ダイオードを、透光ケースと、外部電力を透光ケース内部に導入するための電極部と、電極部から導入された電流電圧を変換して発光ダイオードへ供給する内部電源を備えた直管の中に配列することで、蛍光管の代替のように事務所でも利用が出来、直管の中に配列されているそれぞれの発光ダイオードは、３列または４列で配列されていることで、光が均一に混ざり、それぞれの発光ダイオードのＶＦはほぼ同一ＶＦなので製造し易く長寿命になる。さらに透光ケースが円筒状に形成され、発光ダイオードから発せられた光を拡散させるための拡散手段を備えることで、光が拡散され広範囲に均等に届き明るい。
【図面の簡単な説明】
【００１１】
【図１】  本発明実施例１の照明装置の説明のための全体斜視図である。
【図２】  本発明実施例１の分解斜視図である。
【図３】  本発明の実施例１のＬＥＤ基板の正面図である。
【図４】  本発明実施例のブロック図である。
【図５】  本発明実施例に係る照度、評価の説明図で、（ａ）単色系発光ダイオードが青色の場合、（ｂ）単色系発光ダイオードが赤色の場合、（ｃ）単色系発光ダイオードがオレンジ色の場合、（ｄ）単色系発光ダイオードが緑色の場合である。
【図６】  本発明実施例に係る照度のデータ説明図で、（ａ）白色発光ダイオードだけの場合、（ｂ）白色発光ダイオードと青色発光ダイオードの本発明実施例の場合である。
【図７】  本発明実施例２の蛍光灯型ＬＥＤ照明管の説明図で、（ａ）蛍光灯型ＬＥＤ照明管に用いるＬＥＤ基板の斜視図、（ｂ）蛍光灯型ＬＥＤ照明管の分解斜視図である。
【図８】  本発明の実施例２の蛍光灯型ＬＥＤ照明管の断面図である。
【図９】  本発明実施例３のＬＥＤ照明装置の説明のための一部を切り欠いた斜視図である。
【図１０】  本発明実施例３のＬＥＤ照明装置の分解斜視図である。
【発明を実施するための形態】
【００１２】  一般に、特定波長の光を浴びると人はそこに色を感じる。例えば５００〜４６４ｎｍの波長の光に対しては青、５７８〜５１３ｎｍは緑、６２０〜５９２ｎｍはオレンジ、７２３〜６４７ｎｍは赤と感じるという物理学者の例示があるが、個人差も大きく数値自体に臨界性はないものの、大体そういう波長の光は一定の色の認識があることは間違いない。そして、単色光になると人の生活に影響を与えることも古くから知られており、赤い色はダイナミックで暖かい感じを与えるとか、青色は冷たい感じを与え、また遠ざかって見える光であり、静かで気分を休ませる効果があることはゲーテの時代に既に語られており、２０００年ごろイギリス北部のグラスゴーでは街灯の色を青色にすることで犯罪が激減したことが知られている。ところが単色光での照明は気味が悪いというイメージとか、照度が低く感じられることがわかってきた。
そこで本発明では単色系発光ダイオードを白色発光ダイオードと組合せ、なおかつ単色光系発光ダイオードの光を強調することで、実際の照度よりも明るく感じるが眩しくなく、単色がかもし出す雰囲気や効果がやわらかく感じられることを見出したものである。以下本発明を実施例に基づいて詳細に説明する。
【実施例１】
【００１３】  図１は本発明実施例１の照明装置１００を防犯灯に構成した場合の斜視図であり、電柱など垂直な柱に取付けて使用する。図２はその分解斜視図で内部構造を示したものである。ＬＥＤ照明装置１００は、本体と、この本体の内部には複数のＬＥＤ素子３０を配列したＬＥＤ基板１０と、ＬＥＤ基板１０に電流電圧を供給する内部電源４０と、内部電源４０に外部電力を供給する電極部２０とを備え、さらに本体に勘合して取付けられる透光ケースであって、複数のＬＥＤ素子３０の光を外部に照射する透光ケース５０とを備える。図３は内部のＬＥＤ基板１０の正面図で、複数のＬＥＤ素子３０は、一の単色系発行ダイオード列３１と、他の単色系発光ダイオード列３１の間に配列されそれらの単色系発光ダイオード列３１より少ない数の白色発光ダイオード列３２で構成される。ここで、複数のＬＥＤ素子３０を、一方向に直線状に又は千鳥状に配列された特定色の複数の単色系発光ダイオード列３１と、この単色系発光ダイオード列３１の呈する色を損なわないように単色系発光ダイオード列３１に挟まれるように配置された白色発光ダイオード列３２とから構成して前記特定色で一定の照明領域に対して照光できるように配列してある。単色系発光ダイオード列３１，３１のＬＥＤ素子３０は、昼光色、昼白色、白色、温白色、電球色等のいわゆる蛍光灯色を除く特定色に発光するものであればよい。すなわち、特定色とは、いわゆる白色とは異なる特定の色のことであり、より好ましくは、例えば青色、赤色、オレンジ色又は緑色があげられる。特に、特定色を青色の単色光とした場合には、ぎすぎすした感じがなく、自然な感じがすると共に心理的に作用し防犯効果が得られるため、青色の単色光が好ましい。なお、ＬＥＤ素子３０は、一方向に配列されていればよく、例えば直線状に配列してもよく、また千鳥状に配置してもよい。千鳥状に配列した場合には、省スペースを実現できる。白色発光ダイオード列３２のＬＥＤ素子３０は、例えば砲弾型の樹脂モールドされたものや、箱型のチップ部品型の発光ダイオードが用いられ、３原色チップ型の白色発光ダイオードよりも青色系ワンチップ発光ダイオードを波長変換した白色発光ダイオードが好ましい。その理由として、発光ダイオードの輝度、色相、見た目の明るさや感じが容易に揃い易く、ＬＥＤ駆動回路設計（構造）やコスト面でもメリットが大きい。これらの発光ダイオードは、光源から一定距離の照明領域に対して照光できるように配列されている。一定の照明領域とは、例えば実施例１の防犯灯の場合であれば照射される一定空間を、他の天井今辺に設置した室内用の照明装置の場合であれば机上などを意味する【００１４】  図１と図２、図３を参照して、これらの単色系発光ダイオード列３１と白色発光ダイオード列３２は、透光ケース５０内部にあり、ＬＥＤ基板１０に実装されている。ＬＥＤ照明装置１００は、本体と、表面側にＬＥＤ素子３０が実装されたＬＥＤ基板１０と、外部電力をＬＥＤ基板１０内に導入する電極部２０と、電極部２０から導入された電流電圧を変換して発光ダイオードであるＬＥＤ素子３０へ供給する内部電源４０とを備える。本体には、ＬＥＤ基板１０と電極部２０と内部電源４０とが内部に装��される。実施例１の搨合、本体（符号なし）はＬＥＤ基板１０、内部電源４０を収納する不透明な部分の合成樹脂製である。透光ケース５０は、光を透過する部分の内面粗面加工されたガラス、ポリカーボネートなどからなる。この透光ケース５０の光透過部分は、発光ダイオード３１、３２から発せられた光を拡散させるための拡散手段が設けられている。拡散手段としては、内面または外面に梨地状などの粗面加工が施されていたり、透光ケース５０の素材中に拡散材（フィラ）を混入させておいてもよいが、図８に示すように内面にほぼ三角状のレンズ手段を発光ダイオードの光が放出されるＡ部領域に設けることで、色の混色もよくなり好適である。その理由としては、搭載使用する個々の発光ダイオード同士と樹脂製透光管内での直接間接の反射光との関係の相乗効果が得られ易い。また、搭載配列する発光ダイオードとして青色の砲弾型発光ダイオードのレンズ形状を白色発光ダイオードのそれより大きくしたり、その発光ダイオードが砲弾型でなくボタン型の発光ダイオードであれば青色の発光窓枠サイズや高さ寸法を大きくするなどによって、ＬＥＤ発光がその目的の色で広範囲にかつ広視野角度化に寄与する場合があるので、透光ケース５０の形状とあわせて光源自体の形状にも配慮するとより効果的である。【００１５】  図４は実施例１のブロック図であるが、実施例１の場合電極部２０は、ＬＥＤ基板１０をＬＥＤ照明装置１００から着脱を可能とするコネクターで、外部電力を透光ケース５０内部に導入するための金属製端子２３と絶縁体２２からなり、内部電源４０は外部電力を発光ダイオード列３１、３２へ供給する直流に変換するＡＣ−ＤＣコンバーター４１と電流電圧安定器４２からなるが、これに限られるものではない。【００１６】  単色系発光ダイオード列３１と白色発光ダイオード列３２の比率は、単色系発光ダイオード列３１と白色発光ダイオード列３２の割合が同等だと白色ダイオード列３２にその色の効果が吸収され、単色系の特徴が薄れる。その様子を調べたのが図５である。図５は白色発光ダイオード列３２と単色系発光ダイオード列３１の発光ダイオードをそれぞれどういう比率で配置したら、色のイメージとして人がどういう感じがするのか、また明るさとしては十分なのかどうかを男女１５人ずつのグループで話し合ってもらった評価を色毎に示している。その結果、白色発光ダイオード列３２の発光ダイオードより多くの単色系発光ダイオード列３１用の発光ダイオードを使用する必要がある。この結果からすると、ほとんどが単色系発光ダイオード列３１では、色の特徴は出るが、明るさの面で暗くなってしまう。また、色に起因する感覚としても、偏りすぎるとイメージダウンになり印象が良くない。したがって心地よいイメージ感覚を残しながら、明るさを追求した比率を再現する方法が必要となる。よって、複数の発光ダイオードから構成される白色発光ダイオード列３２と、その白色発光ダイオード列３２より多い複数の単色系発光ダイオード列３１を一定の照明領域に対して照光できるように配列することとし、その比率はもっとも好ましくは２倍以上である。【００１７】  図６に示した照度比較は、白色発光ダイオードのみの光の照度データ（ａ）と��単色系（青色）発光ダイオードと白色発光ダイオード複合の光の照度データ（ｂ）である。５ｍの高さから半径５ｍの照度を計測した。直下５ｍの地点での照度がほぼ同ルクスである。単色系発光ダイオードのみではこの明るさは出せない。白色発光ダイオードしか出せない照度を出しているが、全体のイメージ感覚は単色系（青色）をしっかり感じる。
このような単色系発光ダイオードの特徴を損なわない明るい光は、人間の感覚にも単色だけの光より良いイメージをもたらす効果があるようだ。また、それぞれの色の特徴を損なわない効果も同時に期待できる。
ＬＥＤ照明装置１００は、図示しない外部電源から、例えば１００Ｖの商用電源が、電極部２０を介して内部電源４０に供給され、直流の電流電圧に変換された後にＬＥＤ基板１０に供給され、ＬＥＤ基板１０に実装された複数のＬＥＤ素子３０が発光し、全体として前記特定色に発光して照光する。
【実施例２】
【００１８】  図７は本発明の実施例２の蛍光灯型ＬＥＤ照明管２００を示す図で、照明装置を蛍光灯直管に構成した場合である。図７（ａ）は内部電源４０を搭載したＬＥＤ基板１０で、白色発光ダイオード列３２の両側に単色系発光ダイオード列３１を配置している。図７（ｂ）は、実施例２の蛍光灯型ＬＥＤ照明管２００の分解斜視図で、電極部２０は固定するための口金２１と、絶縁体２２と、外部電力を透光ケース５２の内部に導入する金属製端子２３とで構成される。この蛍光灯型ＬＥＤ照明管２００の特徴は透光ケース５２の中に、発光ダイオード列３１、３２を取付けたＬＥＤ基板１０が入る必要がある。透光ケース５２は直径が約３ｃｍくらいであり、透光ケース５２の中に納まる発光ダイオード列３１、３２は砲弾型発光ダイオードでは３列が最大であり、チップ型発光ダイオードでは４列がせいぜいである。砲弾型発光ダイオードであれば、同列同数の発光ダイオード列３１、３２を蛍光灯型ＬＥＤ蛍光管２００の長手方向に配列するとすれば、両側に単色系発光ダイオード列３１を配列し、真ん中には白色発光ダイオード列３２を配列する比率がもっとも好ましい。しかし同列同数にこだわる必要はなく、真ん中の白色発光ダイオード列３２は格子状に両端が多くても少なくてもかまわない。チップ型発光ダイオードでは、真ん中の２列の白色発光ダイオード列３２の配置が両端の単色系発光ダイオード列３１の数より少なくなる比率で配置すれば問題ない。いずれにしても、単色系発光ダイオード列３１より白色発光ダイオード列３２の数が比率で多すぎないことが特徴である。【００１９】  図８は、本発明の実施例２の蛍光灯型ＬＥＤ照明管２００の断面図である。ＬＥＤ基板１０の表面側には前記のとおりＬＥＤ素子３０を実装し、ＬＥＤ基板１０の裏面側に内部電源４０を配置してあることで、直管である蛍光灯型ＬＥＤ照明管２００の中に、ＬＥＤ基板１０と、電極部２０と、ＬＥＤ素子３０と、内部電源４０とを備えている。透光ケース５２の発光ダイオード列３１、３２の光が透過する部分Ａ部には、Ａ部構造として図示するように、光を拡散させるため内面にほぼ三角状のレンズ手段を設けるか、もしくは透光ケース５２の素材中に拡散材（フィラ）を混入させておいても良い。そうすれば、搭載する個々の発光ダイオード同士と樹脂性透光ケース内部で直接間接の反射光との関係の相乗効果が得られやすく、色の混色もよくなり好適である。また、搭載配列する発光ダイオードの外形サイズと表面樹脂の形状、例えば砲弾型発光ダイオードのレンズ形状やボタン型発光ダイオードの発光窓枠のサイズや高さ寸法などと配列位置を故意に変えることにより、ＬＥＤ照明の実使用時のＬＥＤ発光が広範囲で広視野角度化に寄与する場合がある。
【実施例３】
【００２０】  図９は、本発明の実施例３のＬＥＤ照明装置の全体斜視図である。本実施例３のＬＥＤ照明装置３００は、実施例１の本体と、透光ケース５０と、実施例２の蛍光灯型ＬＥＤ照明管２００とを備えているものであり、用途として防犯灯に用いたものである。図１０はその分解斜視図である。なお、蛍光灯型ＬＥＤ照明管２００は外部電力を内部に導入するための電極部２０を備えた実施例２で説明したものと同一のものである。蛍光灯型ＬＥＤ照明管２００を用いることによって保守点検が容易となり、実際の照度よりも明るく感じられるが眩しくなく、特定色である単色がかもし出す雰囲気や効果が柔らかく感じられる。【００２１】  その直管である蛍光灯型ＬＥＤ照明管２００の中に配列されているそれぞれの発光ダイオード列３１、３２のＶＦは、ほぼ同一ＶＦであり３列に配列している。３列に配列する理由としては、発光ダイオード列３１、３２を直管内に取付けた際に、最もバランスの良い発光外観と照度計測値を示した実用的である。
ほぼ同一のＶＦの発光ダイオードを配列する目的としては、搭載した個々の発光ダイオードに対しての駆動管理、つまり印加電流（ＩＦ）をほぼ均一に保ち易く、重要とされる発光時の状態や製品の品位の向上に寄与することが出来る。ほぼ同一のＶＦを得るには、勿論仕様をそろえても良いが、白色発光ダイオード列３２の中には青色発光ダイオードを用いて蛍光塗料で白色化しているものもあるので、そういう白色発光ダイオードを用いれば青色発光ダイオードとのＶＦはおのずと同じレベルの電圧値となる。
【産業上の利用可能性】
【００２２】  本発明の照明装置は、実際の照度よりも明るく感じる上に、単色がかもし出す雰囲気や効果（暖色／寒色／遠近感／など）がやわらかく感じられるので、防犯灯、リフレッシュルームや廊下や入口など演色を必要とする場所の照明灯、植物育成灯、トンネル内などで視認性向上の照明灯などに有用である。
【符号の説明】
【００２３】    １０  ＬＥＤ基板
２０  電極部
２１  電極部口金（金属部）
２２  電極部絶縁体
２３  電極部端子
３０  ＬＥＤ素子
３１  単色系発光ダイオード列
３２  白色発光ダイオード列
４０  内部電源
４１  ＡＣ−ＤＣコンバーター
４２  電流電圧安定器
５０  透光ケース
５２  透光ケース（実施例２）
１００  ＬＥＤ照明装置（実施例１防犯灯）
２００  蛍光灯型ＬＥＤ照明管（実施例２蛍光灯型ＬＥＤ照明装置）
３００  ＬＥＤ照明装置（実施例３防犯灯）
【図１】
2012009434.tif 000003
【図２】
2012009434.tif 000004
【図３】
2012009434.tif 000005
【図４】
2012009434.tif 000006
【図５】
2012009434.tif 000007
【図６】
2012009434.tif 000008
【図７】
2012009434.tif 000009
【図８】
2012009434.tif 000010
【図９】
2012009434.tif 000011
【図１０】
2012009434.tif 000012